(57)【要約】詰まった痰や鼻汁などを取り出すために用いられ、携帯性と操作性に優れ低コストの、使い捨ての体液フィルターユニット及び体液吸引器を提供する。体液（１００）を吸入するための吸入チューブ（２０）と連結される吸入口（１４）と、空気と共に吸入した体液（１００）を空気と分離して溜める体液溜め室（１８）と、吸入した空気を通過させるフィルター（１２）と、吸引源（２４）とつながる吸引口（１６）とを備えた使い捨ての体液フィルターユニット（１０）及び体液吸引器（３４）。
2001036020.tif 000002
【特許請求の範囲】
【請求項１】
詰まった痰や鼻汁などの体液を除去するのに用いるフィルターユニットであって、該体液を吸引する空気の流れが、
該体液を吸入するための吸入チューブと連結される吸入口、
体液溜め室、
フィルター、
吸引源とつながる吸引口、
の順となるように構成されたことを特徴とする、使い捨ての体液フィルターユニット。
【請求項２】
前記吸入口から前記体液溜め室に空気を導く吸入管が、前記フィルターを貫通して設けられたことを特徴とする請求項１に記載する、使い捨ての体液フィルターユニット。
【請求項３】
前記吸入口と前記吸引口とが、前記フィルターを挟む両側に設けられたことを特徴とする請求項１又は請求項２に記載する、使い捨ての体液フィルターユニット。
【請求項４】
前記体液溜め室の内壁に沿った形状の体液遮蔽部を周辺に備え、通気部を略中央部に備えた遮蔽部材が、体液溜め室とフィルターとの間に設けられたことを特徴とする請求項１乃至請求項３に記載する、使い捨ての体液フィルターユニット。
【請求項５】
詰まった痰や鼻汁などの体液を除去するのに用いる体液フィルターユニットであり、
該体液を吸入するための吸入チューブと連結される吸入口と
この吸入口から吸入した体液を溜める体液溜め室と
体液溜め室内の空気又は体液が通過するフィルターと
吸引源とつながる吸引口と
を含む体液フィルターユニットであって、
前記体液溜め室の一端側に前記吸入口が位置し、該一端側に対して反対側の他端側に前記吸引口が位置し、該体液溜め室と該吸引口との間に前記フィルターが位置する使い捨ての体液フィルターユニット。
【請求項６】
前記体液溜め室から前記フィルターを介して前記吸引口に空気を導く吸引管が設けられ、該体液溜め室内へ該吸引管が突出する請求項５に記載する使い捨ての体液フィルターユニット。
【請求項７】
前記フィルターから前記体液溜め室の中央部付近に向かって前記吸引管が突出し、該吸引管の突出方向先端が該体液溜め室の中央部付近に位置する請求項５又は請求項６に記載する使い捨ての体液フィルターユニット。
【請求項８】
前記吸入口から前記体液溜め室に体液を導く吸入管が設けられた請求項５乃至請求項７のいずれかに記載する使い捨ての体液フィルターユニット。
【請求項９】
前記体液溜め室内へ前記吸入管が突出する請求項８に記載する使い捨ての体液フィルターユニット。
【請求項１０】
前記吸入管の突出方向先端に逆流防止弁が設けられた請求項８又は請求項９に記載する使い捨ての体液フィルターユニット。
【請求項１１】
少なくとも前記体液溜め室を手で握って覆い隠すことができる大きさである請求項１乃至請求項１０のいずれかに記載する使い捨ての体液フィルターユニット。
【請求項１２】
請求項１乃至請求項１０に記載されるフィルターユニットを含んで構成され、少なくとも、前記吸入口に吸入チューブが連結されたことを特徴とする、使い捨ての体液吸引器。
【請求項１３】
前記吸入チューブの先端に、空気導入機構を備えた吸入先端部材が連結されたことを特徴とする請求項１２に記載する使い捨ての体液吸引器。
【請求項１４】
前記吸引口が、口でくわえられる形状とされたことを特徴とする請求項１２又は請求項１３のいずれかに記載する使い捨ての体液吸引器。
【請求項１５】
詰まった痰や鼻汁などの体液を除去するのに用いる体液フィルターユニットの吸引口から空気を吸引する吸引源であり、
空気を吸引するポンプと
そのポンプを内蔵する外箱と
を含む吸引源において、
前記外箱が、湾曲しつつ端部まで延びる係合部を有し、係合部を棒状部材に係合して吊るすことができる吸引源。
【請求項１６】
詰まった痰や鼻汁などの体液を除去するのに用いる体液フィルターユニットの吸引口から空気を吸引する吸引源であり、
空気を吸引するポンプと
そのポンプを内蔵する外箱と
を含む吸引源において、
前記外箱が、湾曲しつつ端部まで延びる載置部を有し、略円筒形状の体液フィルターユニットを横たえて該載置部に収納する吸引源。
【請求項１７】
詰まった痰や鼻汁などの体液を除去するのに用いる体液フィルターユニットの吸引口から空気を吸引する吸引源であり、
空気を吸引するポンプと
そのポンプを内蔵する外箱と
吸引した流体を体液と空気とに分離する液溜め器具と
を含む吸引源。
【発明の詳細な説明】
技術分野
本発明は、詰まった痰や鼻汁を取り出すために用いる使い捨ての吸引器に関する。
背景技術
体力の弱った病人や年配者では、喉に詰まった痰を自力で吐き出せない場合があり、医療施設や介助者による痰の取り出しが行われている。同様に、幼児などが鼻汁を詰まらせた場合には、親などが自身の口で鼻汁を吸い出したりしている。医療施設などでは、真空ポンプなどの吸引源を用いてこれらの体液を取り出しているが、吸引装置が大型になるため移動しにくかったり、使用後の吸入管や痰壺の洗浄や消毒が面倒であったりした。また、洗浄や消毒を行っても、再使用する場合には常に感染症の危険があった。
一方、こういった吸引装置の無い一般家庭では、吸入チューブをストローのように用いて、口で吸い出す方法がとられてきた。このため、痰などが口の中に入り込むことがあって、患者の病気が感染する恐れがあり、衛生上あるいは精神上の大きな問題になっていた。
そこで本発明者は、携帯に便利で何処でも簡単に使用できて、痰や鼻汁などの体液を完全に捕捉でき、洗浄や消毒が不要の、使い捨ての体液フィルターユニット及び体液吸引器について鋭意検討を重ねた結果、本発明に至ったのである。
発明の開示
本発明に係る使い捨ての体液フィルターユニットの要旨とするところは、詰まった痰や鼻汁などの体液を除去するのに用いるフィルターユニットであって、体液を吸引する空気の流れが、体液を吸入するための吸入チューブと連結される吸入口、体液溜め室、フィルター、吸引源とつながる吸引口、の順となるように構成されたことにある。
さらに、かかるフィルターユニットにおいて、吸入口から体液溜め室に空気を導く吸入管が、フィルターを貫通して設けられたことにある。
さらに、かかるフィルターユニットにおいて、吸入口と吸引口とが、フィルターを挟む両側に設けられたことにある。
さらに、かかるフィルターユニットにおいて、体液溜め室の内壁に沿った形状の体液遮蔽部を周辺に備え、通気部を略中央部に備えた遮蔽部材が、体液溜め室とフィルターとの間に設けられたことにある。
また、本発明に係る使い捨ての体液フィルターユニットの要旨とするところは、詰まった痰や鼻汁などの体液を除去するのに用いるフィルターユニットであり、該体液を吸入するための吸入チューブと連結される吸入口と、この吸入口から吸入した体液を溜める体液溜め室と、体液溜め室内の空気又は体液が通過するフィルターと、吸引源とつながる吸引口と、を含む体液フィルターユニットであって、前記体液留め室の一端側に前記吸入口が位置し、該一端側に対して反対側の他端側に前記吸引口が位置し、該体液留め室と該吸引口との間に前記フィルターが位置することにある。
さらに、かかるフィルターユニットにおいて、前記体液留め室から前記フィルターを介して前記吸引口に空気を導く吸引管が設けられ、該体液留め室内へ該吸引管が突出することにある。
さらに、かかるフィルターユニットにおいて、前記フィルターから前記体液溜め室の中央部付近に向かって前記吸引管が突出し、該吸引管の突出方向先端が該体液溜め室の中央部付近に位置することにある。
また、かかるフィルターユニットにおいて、前記吸入口から該体液溜め室に体液を導く吸入管が設けられたことにある。
さらに、かかるフィルターユニットにおいて、前記体液溜め室内へ前記吸入管が突出することにある。
さらに、かかるフィルターユニットにおいて、前記吸入管の突出方向先端に逆流防止弁が設けられたことにある。
さらに、かかるフィルターユニットにおいて、少なくとも前記体液溜め室を手で握って覆い隠すことができる大きさであることにある。
また、本発明に係る使い捨ての体液吸引器の要旨とするところは、上述のフィルターユニットを含んで構成されていて、少なくとも、その吸入口に吸入チューブが連結されたことにある。
さらに、かかる吸引器において、吸入チューブの先端に、空気導入機構を備えた吸入先端部材が連結されたことにある。
さらに、かかる吸引器において、吸引口が、口でくわえられる形状とされたことにある。
また、本発明に係る吸引源の要旨とするところは、詰まった痰や鼻汁などの体液を除去するのに用いる体液フィルターユニットの吸引口から空気を吸引する吸引源であり、空気を吸引するポンプと、そのポンプを内蔵する外箱と、を含む吸引源において、前記外箱が、湾曲しつつ端部まで延びる係合部を有し、係合部を棒状部材に係合して吊るすことができることにある。
また、本発明に係る吸引源の要旨とするところは、詰まった痰や鼻汁などの体液を除去するのに用いる体液フィルターユニットの吸引口から空気を吸引する吸引源であり、空気を吸引するポンプと、そのポンプを内蔵する外箱と、を含む吸引源において、前記外箱が、湾曲しつつ端部まで延びる載置部を有し、略円筒形状の体液フィルターユニットを横たえて該載置部に収納することにある。
また、本発明に係る吸引源の要旨とするところは、詰まった痰や鼻汁などの体液を除去するのに用いる体液フィルターユニットの吸引口から空気を吸引する吸引源であり、空気を吸引するポンプと、そのポンプを内蔵する外箱と、吸引した流体を体液と空気とに分離する液溜め器具とを含むことにある。
発明を実施するための最良の形態
次に、本発明に係る使い捨ての体液フィルターユニット及び体液吸引器の実施形態について、図面に基づいて詳しく説明する。
図１は、本発明に係わるフィルターユニットの特に有用な実施態様の一例を示すものである。図１に示すフィルターユニット１０は、体液１００を吸入するための吸入チューブ２０と連結される吸入口１４と、空気と共に吸入した体液１００を空気と分離して溜める密閉された体液溜め室１８と、吸入した空気を通過させるフィルター１２と、吸引源２４とつながる吸引口１６とを備えて構成されている。
より詳しく説明すると、フィルターユニット１０は、略円柱形状の体液溜め室１８の一端側に吸入口１４が位置し、この一端側に対して反対側の他端側に吸引口１６が位置し、体液溜め室１８と吸引口１６との間にフィルター１２が位置する。本発明の体液フィルターユニットによれば、
この吸引管２３は、体液溜め室１８からフィルター１２を介して吸引口１４に空気を導くために設けられ、フィルター１２から体液溜め室１８の中央部付近に向かって突出し、吸引管２３の突出方向先端９０が体液溜め室１８の中央部付近に位置する。吸引管２３は、体液１００が入り難いように、又は体液の運動エネルギーを吸収して減少させるために、二重の筒状に構成されている。また、吸入管２２は、吸入口１４から体液溜め室１８に体液１００を導くように、体液溜め室１８内へ突出している。また、吸入管２２の突出方向先端９２に逆流防止弁９４が設けられている。
フィルター１２は、吸引管２３と吸引口１６との間に位置しており、体液溜め室１８から吸引管２３を介してフィルター１２へ送られる空気がフィルター１２により洗浄されて吸引口１６へ送られるように構成されている。また、体液溜め室１８から吸引管２３を介してフィルター１２へ送られる空気に体液１００が含まれる場合には、その体液１００は、フィルター１２により捕捉され、清浄された空気だけが吸引口１６へ送られるように構成されている。フィルター１２は、フィルター１２へ送られる空気に体液１００が含まれる場合にその体液を吸収するスポンジ９６と、菌を通さずに捕集して除菌する除菌フィルター９７とから構成されている。除菌フィルター９７は、図６に示すように、２枚のＨＥＰＡフィルター（Ｈｉｇｈ  Ｅｆｆｉｃｉｅｎｃｙ  Ｐａｒｔｉｃｕｌａｔｅ  Ａｉｒ　ｆｉｌｔｅｒ）９８の間にスポンジ９９を挟んだ積層体から構成されている。ＨＥＰＡフィルター９８は、０．３μｍの粒子を９９．９７％以上の効率で捕集できる。除菌フィルター９７は、このＨＥＰＡフィルター９８を２枚使用しているので、０．３μｍ粒子を、１００−（１００−９９．９７）×（１００−９９．９７）＝９９．９９９１％以上の効率で捕集できる。
体液溜め室１８は、人間の手で握って覆い隠すことができる大きさであり、手で握ることにより外部から体液溜め室１８の内部が見えないように構成され、通過する体液１００が外から見えないように構成されている。具体的には、略円筒形状の体液フィルターユニット１０の長さが約１００ｍｍ乃至１１０ｍｍである。略円筒形状の体液溜め室１８の断面円の直径は、約３５ｍｍ乃至４５ｍｍである。これは、患者、介護人、家族又は見舞い客等に、不快感や嫌悪感を与えないようにするためである。また、患者自身の生きようとする意欲、自立心及び闘争心を無くさせないようにするためである。また、このようなコンパクトな構成にすることにより、迅速かつ容易に捨てることができる。
吸引源２４は、図３に示すように、空気を吸引するポンプ６０と、そのポンプ６０を内蔵する外箱６２とを含んでおり、ポンプ６０を作動させることにより、吸引チューブ２１から空気を吸引するように構成されている。外箱６２は、湾曲しつつ端部６４まで延びる係合部６６を一体的に有し、図５に示すように、係合部６６をベッド６８のフェンス（棒状部材）７０へ係合して吸引源２４を吊るしてベッド６８に固定できるように構成されている。また、外箱６２は、湾曲しつつ端部７２まで延びる載置部７４を一体的に有し、略円筒形状の体液フィルターユニット１０を横たえて載置部７４に収納できるように構成されている。また、外箱６２は、平面状の底部７６を有し、図２に示すように、底部７６をデスク７８に密着させて定置できるように構成されている。また、外箱６０は、平面状の背面部８０を有し、図４に示すように、背面部８０をデスク７８に密着させて定置できるように構成されている。なお、この吸引源２４を斜め方向等に向けて使用することもできる。
このような体液フィルターユニット１０及び吸引源２４を使用する場合には、吸入チューブ２０をこの体液フィルターユニット１０の吸入口１４に圧入し、吸引源２４に連結されている吸引チューブ２１を吸引口１６に圧入して体液吸引器３４が組み立てられる。吸入チューブ２０及び吸引チューブ２１としては、通常は、市販の除菌処理済みのＰＶＣ（ポリビニルクロライド）製のカテーテルが使用される。
次に、吸入チューブ２０の先端を鼻又は口から咽喉又は気管まで入れて、吸引源２４のポンプ６０を作動させることにより、痰や唾液等の体液１００が吸入チューブ２０内へ吸入される。吸入チューブ２０内へ吸入された体液１００は、吸入チューブ２０のみから吸入口１４へ導かれ、逆流防止弁９４を通過して体液溜め室１８内に溜まる。よって、体液溜め室１８は、図３に示すように、体液１００と空気との混合流体体液１００と空気とに分離させる液溜め器具又はドレンとしての機能を有する。この時、逆流防止弁９４によって体液１００の逆流が防止される。
一方、体液溜め室１８内に吸入された空気は、吸引管２３からフィルター１２及び吸引チューブ２１を経由してポンプ６０まで導かれ、ポンプ６０から外へ排出される。体液溜め室１８内に吸入された空気は、その空気に含まれる菌がフィルター１２のＨＥＰＡフィルター９８によって除去されながら、吸引チューブ２１へ導かれる。もし、体液１００が吸引管２３内へ入り込んだとしても、体液１００はスポンジ９６に吸収されて吸引チューブ２１に入り込むことはない。このため、吸引チューブ２１を捨てないで、複数の患者等に対して使用したとしても、先に使用した患者等の体液が吸引チューブ２１に残っていないため、後に使用する患者等に不快感を与えることはない。
吸引管２３は、フィルター１２から体液溜め室１８の中央部付近に向かって突出し、吸引管２３の突出方向先端９０が体液溜め室１８の中央部付近に位置するため、体液フィルターユニット１０を図１に示すように横に倒して使用した場合には、体液１００の量が多過ぎない限り、体液１００は横に倒した体液溜め室１８の底に溜まり、体液１００が吸引管２３内へ入り込むことは少ない。また、吸入管２２が体液溜め室１８内へ突出し、その吸入管２２の突出方向先端９２に逆流防止弁９４が設けられているため、体液１００が逆流防止弁９４に接触せず、体液１００が吸入管２２内へ入り込むことはない。なお、体液フィルターユニット１０を図７に示すように吸入口１４を上にして立てて使用した場合、及び体液フィルターユニット１０を図８に示すように吸入口１４を下にして斜めにして使用した場合にも、同様の原理により、体液１００が吸引管２３内へ入り込むことは少なく、体液１００が吸入管２２内に入り込むことはない。
このようにして、体液フィルターユニット１０を使用し、体液１００が体液溜め室１８内に所定量溜まると、体液フィルターユニット１０及び吸入チューブ２０等が捨てられる。
この体液フィルターユニット１０によれば、体液１００が吸引管２３内に入り込むことは少ないので、例外的に吸引管２３内に入り込む体液１００の量は極めて少なく、例外的に吸引管２３内に入り込む体液１００の全てをスポンジ９６で吸収できる。これにより、体液１００が吸引チューブ２１を通って吸引源２４まで吸引されることを無くし、ポンプ６０に体液１００が入り込んで吸引源２４が故障するのを防止できる。また、体液１００が吸引チューブ２１に入り込むことがないため、吸引源２４を使用しないで、介護人が自ら吸引チューブ２１を口にくわえて吸引することが可能となる。また、この体液フィルターユニット１０によれば、２枚のＨＥＰＡフイルター９８を備えるフイルター１２によって効率的に除菌するため、介護人が自ら吸引チューブ２１を口にくわえて吸引しても、介護人に菌が感染するのを防止できる。
また、体液フィルターユニット１０によれば、図１に示すように横に倒して吸引源２４の係合部７４に係合した状態で、体液の吸引を行うことができるため、体液フィルターユニット１０を安定した状態に固定して、体液の吸引を行うことができる。このため、体液１００が吸引管２３内に入り込むことを防止して、体液１００が吸引チューブ２１を通って吸引源２４まで吸引されることを無くすことができる。
以上、本発明の体液フィルターユニット及び体液吸引器の実施形態について、図面に基づいて詳しく説明したが、本発明の体液フィルターユニット及び体液吸引器は他の実施形態でも実施し得る。
例えば、図１に示す体液フィルターユニット１０において、除菌フィルター９７のＨＥＰＡフィルター９８の代替として、ＵＬＰＡフィルター（ＵｌｔｒａＬｏｗ  Ｐｅｎｅｔｒａｔｉｏｎ  Ａｉｒ）を使用しても良い。このＵＬＰＡフィルターは、ＨＥＰＡフィルターに比して、値段が高いとともに脆くて屑が発生しやすいフィルターである。しかし、ＵＬＰＡフィルターは、０．１μｍの粒子を９９．９９９％以上の確率で捕集できる。
また、図１に示す体液フィルターユニット１０について、フィルター１２は、スポンジ９６のみから構成され、除菌フィルター９７を含まない形態でも良い。また、除菌フィルター９７の代替としてスポンジを使用した形態でも良い。また、フィルター１２の構成部材として、高分子吸収材料を使用しても良い。
フィルター１２をスポンジのみから構成した場合、体液の殺菌を過度に考慮する必要のない、歯磨き時の口内の体液の吸引に使用できる。また、高分子吸収材料又はスポンジを使用した場合、、体液が高分子吸収材料又はスポンジに吸収されて高分子吸収材料又はスポンジが膨らむことにより、目視によって捨てる時期を認識できる。また、体液が高分子吸収材料又はスポンジに吸収されて高分子吸収材料又はスポンジの通気性が低下したことを認識することにより、捨てる時期を認識できる。また、フィルター１２は、除菌フィルター９７のみから構成され、スポンジ９６を含まなくとも良い。また、除菌フィルター９７がＨＥＰＡフィルターのみから構成されても良い。また、フィルター１２の除菌フィルター９７のＨＥＰＡフィルターの枚数は図６のような２枚に限定されず、１枚又は２枚以上でも良い。
また、図１に示す体液フィルターユニット１０について、略円筒形状の体液フィルターユニット１０の長さは、約１１０ｍｍ乃至１２０ｍｍ、約１２０ｍｍ乃至１３０ｍｍ等であっても良い。また、略円筒形状の体液フィルターユニット１０の長さは、約９０ｍｍ乃至１００ｍｍ、約８０ｍｍ乃至９０ｍｍ、約７０ｍｍ乃至８０ｍｍ、約６０ｍｍ乃至７０ｍｍ、約５０ｍｍ乃至６０ｍｍ等であっても良い。また、略円筒形状の体液溜め室１８の断面円の直径は、約４５ｍｍ乃至５５ｍｍ、約５５ｍｍ乃至６５ｍｍ等であっても良い。また、略円筒形状の体液溜め室１８の断面円の直径は、約２５ｍｍ乃至３５ｍｍ、約１５ｍｍ乃至２５ｍｍ等であっても良い。
また、図１に示す体液フィルターユニット１０について、体液フィルターユニット１０を作動させる吸引源は、図５に示す形状の吸引源２４に限定されない。すなわち、吸引源は、液フィルターユニット１０から空気を吸引できるものであれば、その外箱の形状は特に限定されない。
また、図１に示す体液フィルターユニット１０について、体液フィルターユニット１０、吸入フィルター２０又は吸引フィルター２１等にラベルを貼って外から内部が見えないように構成しても良い。
また、図１に示す体液フィルターユニット１０について、体液フィルターユニット１０の形状は円柱に限定されず、角柱、楕円柱、円錐又は角柱等であっても良い。
また、図９に示すような体液フィルターユニット１０であっても良い。この体液フィルターユニット１０は、吸入管２２が吸入口１４から体液溜め室１８内へ突出する長さが図１の体液フィルターユニット１０に比して長く、吸入管２２と吸引管２３との間に仕切り板１０２が設けられている。このため、この図９に示す体液フィルターユニット１０は図１に示す体液フィルターユニット１０に比して構成が複雑であり、図１に示す体液フィルターユニット１０に比して製造コストが高くなる。しかし、この体液フィルターユニット１０は、吸入管２２が吸入口１４から体液溜め室１８内へ突出する長さが図１の体液フィルターユニット１０に比して長く、図８に示す体勢で使用した場合に体液１００が逆流防止弁９４により接触し難くなる。また、吸入管２２と吸引管２３との間に仕切り板１０２が設けられており、吸入管２２が吸入口１４から体液溜め室１８内へ突出する長さが図１の体液フィルターユニット１０に比して長く構成した場合においても、吸入管２２から噴出した体液１００が吸引管２３へ吸引されるのを防止できる。
また、本発明の吸引源２４は、図１０及び図１１に示すような吸引源であっても良い。この吸引源２４は、密閉室１１０内にフィルター１１２及びポンプ６０が備えられている。仮に、吸引管２１から密閉室１１０内に体液１００が入り込んだ場合でも、体液１００を密閉室１１０内に溜めて空気のみをフィルター１１２を介してポンプ６０へ送ることができる。よって、密閉室１１０は、体液１００及び空気からなる流体を吸引した場合に、体液１００と空気とに分離させる液溜め器具の機能を有する。この吸引源２４の場合、吸引源２４の構成が複雑となって製造コストが高くなるが、ポンプ６０に体液１００が入り込んでポンプ６０が故障することを防止できる。
また、図１２は、本発明に係わるフィルターユニットの他の実施態様例を示すものである。図１２に示すフィルターユニット１０は、体液を吸入するための吸入チューブ２０と連結される吸入口１４と、空気と共に吸入した体液を空気と分離して溜める体液溜め室１８と、吸入した空気を通過させるフィルター１２と、吸引源２４とつながる吸引口１６とを備えて構成されている。そしてさらに、このフィルターユニット１０の内部には、吸入口１４から体液溜め室１８に空気を導く吸入管２２と、体液溜め室１８から吸引口１６に空気を導く吸引管２３が配設されていて、これら吸入管２２と吸引管２３はそれぞれフィルター１２を貫通して設けられている。
より詳しく説明すると、フィルターユニット１０は、雌ケース部材１３と雄ケース部材１５とが嵌合部１７で連結されていて、両端が閉じた略円筒状に形成されている。そして、その略円筒状ケース内に、フィルター１２と遮蔽部材２６とが収容されている。
フィルター１２は、雌ケース部材１３の側壁に設けられた段差部２５と、雌ケース部材１３の底部に設けられたフィルター支持部３３とで片側を支持され、反対側は遮蔽部材２６の脚部３２と接している。フィルター１２と接する脚部３２及びフィルター支持部３３は、フィルター１２の通気面を塞がないように、凸部先端で支持するように成形されている。
雌ケース部材１３には、痰などを吸入するための吸入チューブ２０と連結される吸入口１４と、吸入口１４から体液溜め室１８に通じる吸入管２２が一体的に設けられていて、吸入管２２はフィルター１２を貫通している。すなわち、体液溜め室１８は、フィルター１２を挟んで吸入口１４の反対側に位置する。また、雄ケース部材１５には、吸引源２４につながる吸引口１６と、体液溜め室１８から吸引口１６に通じる吸引管２３が一体的に設けられていて、吸引管２３はフィルター１２を貫通している。
遮蔽部材２６は、断面がＬ形の円環状で雌ケース部材１３の内壁に沿う形状の遮蔽部２８と、脚部３２とで構成されている。そして、円環状の遮蔽部２８の開放された中央部が通気部３０を形成している。
本フィルターユニット１０は次のようにして組み立てられる。まず、段差部２５及びフィルター支持部材３３に突き当たるまで、雌ケース部材１３内にフィルター１２を深く差し入れる。フィルター１２には、吸引管２３及び吸入管２２を通すための孔が予め細めに設けてあって、上述の作業は、吸入管２２をこの孔に通しながら行われる。次に、遮蔽部材２６を雌ケース部材１３に入れ、脚部３２がフィルター１２に接するようにして被せる。円環状の遮蔽部２８が雌ケース部材１３の内壁と嵌合して所定の位置に固定される。
次いで、雄ケース部材１５が被せられ、嵌合部１７で凹凸嵌合して雌ケース部材１３と連結されるが、同時に、吸引管２３の先端部がフィルター１２に予め設けられた孔に挿入される。このようにして組み立てられたフィルターユニット１０は、フィルター１２によって２室に区切られ、吸引管２３及び吸入管２２がフィルター１２を隙間なく貫通した構造となっている。
本例のフィルターユニット１０によれば、図１に示す体液フィルターユニット１０に比して構成が複雑であり、図１に示す体液フィルターユニット１０に比してコストがかかる。しかし、以下の効果が生じる。
吸引源２４によって吸引される空気の流れは、矢印の向きで示されるように、吸入口１４から吸入管２２を通って体液溜め室１８に入り、次いで、フィルター１２、吸引管２３を通過して吸引口１６に至る。体液を取り除こうとする施術者は、フィルターユニット１０を片手に持ち、もう一方の手で吸入チューブ２０を操作し、その先端を痰が詰まっている咽喉に当てる。痰は上述の空気の流れに乗って吸引され、フィルターユニット１０の内に取り出される。
吸入チューブ２０の先端から吸入された痰などの体液は、吸入口１４、吸入管２２を経て体液溜め室１８内に排出されるが、吸入管２２の先端が、フィルター１２とは逆側の、雄ケース部材１５の方を向いているので、吸入管２２から飛び出す体液が直接フィルター１２に当たることが避けられる。このため、体液によるフィルター１２の目詰まりが軽減される。また、遮蔽部材２６が設けられているので、雌ケース部材１３の内壁を伝わる体液が遮蔽部２８によって遮られることになり、フィルター１２の目詰まりがさらに軽減される。遮蔽部２８は断面Ｌ形の円環状とされ、雌ケース部材１３の内壁に密着して、断面コの字形の円環状溝を形成するので、フィルターユニット１０がどちらの方向に傾けられても、中に溜まった体液がフィルター１２側に流れ出ることはない。
フィルター１２まで流れてきた液状の体液や、体液溜め室１８内の空気に含まれる一部の体液は、フィルター１２により捕捉され、清浄となった空気だけが吸引管２３、吸引口１６を通って吸引源２４に流れる。フィルター１２の端部は雌ケース部材１３の内壁と隙間なく接していて、体液溜め室１８を締め切っているので、フィルターユニット１０がどのように乱暴に扱われても、体液が吸引口１６に漏れ出ることはない。
このため、本発明のフィルターユニット１０は、使い捨て用として気軽に利用される。遮蔽部材２６の中央部には通気部３０が設けられ、フィルター１２の両面は十分広く開放されているので、フィルター１２全面が目詰まりする恐れは少ない。また、フィルター１２を通過する時の圧力損失が大きくならないので、口で吸引する程度の比較的弱い吸引源２４を用いることができる。
本例のフィルターユニット１０では、吸入口１４と吸引口１６がフィルター１２を挟んで両側に設けられていて、例えば、一般家庭で用いる、口で吸引する応急吸引器として用いられると非常に便利である。すなわち、施術者は吸引口１６を口に挟み、咽喉などを上から覗きながら、下方にある吸入口１４に接続された吸入チューブ２０を操作できるので、操作性が格別に良好となる。また、吸入口１４が咽喉などの直ぐ近くになるので、吸入チューブ２０を短くすることができ痰をフィルターユニット１０まで早く吸い上げて施術時間を短縮できる。このため、痰などが詰まった病人の負担も、施術者の負担も、共に軽減される効果がある。
図１３に示される別の実施例のフィルターユニット１０では、吸入口１４及び吸引口１６が同一側に設けられている。本例においても、吸入管２２がフィルター１２を貫通しているので、体液溜め室１８に飛び出す体液が直接フィルター１２に当たることが防止されている。また遮蔽部材２６が設けられているので、雌ケース部材１３の内壁を伝ってフィルター１２に流れる体液が阻止される。図１２に示されるフィルターユニット１０と異なるのは、フィルター１２を通過した空気を吸入口１４と同じ方向に設けた吸引口１６に向けることだけである。
本例のフィルターユニット１０は、真空ポンプなどの吸引源２４を利用する場合に特に適している。真空ポンプなどの吸引源２４を利用する場合には、吸引源２４を作動又は停止するためのスイッチ操作が必要であり、フィルターユニット１０を片手に持ち、吸入チューブ２０をもう一方の手で扱うのでは、吸引源２４の操作ができず、いったん吸入作業を中断しなくてはならない。しかしながら、例えば図１３に示されるように、フィルターユニット１０の側壁に吸引源２４のスイッチ３８を取り付け、フィルターユニット１０と共に握りながらスイッチ３８を操作するようにすれば、もう一方の手が何時でも自由になるので、吸入作業を中断しなくてもよくなる。
図１４に例示されるフィルターユニット１０は、吸入口１４、体液溜め室１８、フィルター１２、吸引口１６が直列的に設けられた単純な構造とされている。本フィルターユニット１０は、特に、家庭用で、口で吸引する吸引器などに利用されるものであり、小型で軽量で安価である。すなわち、吸入口１４、体液溜め室１８、フィルター１２、吸引口１６が直列的に配設されるので、フィルターユニット１０を細くすることができ、吸入口１４を下側にして用いることを前提にして、遮蔽部材２６を省いてある。その結果、小型、軽量化が可能になり、コストも大幅に低減される。フィルターユニット１０が細くなることに伴い、フィルター１２の有効面積が減り目詰まりしやすくなるが、体液溜め室１８内の体液は雄ケース部材１５の底部４０に溜まるので、フィルターユニット１０を逆さまにしない限り、フィルター１２側に流れることはない。また、目詰まり防止性を改善するためフィルター１２が厚くされている。
図１５に例示されるフィルターユニット１０は、吸入口１４と吸引口１６が隣り合って設けられていて、図１３に示されるフィルターユニット１０と同様、真空ポンプなどの吸引源２４を利用する場合に特に適している。同図に示される向きでフィルターユニット１０を握り、例えば、その上部にスイッチ３８を取り付け親指で操作できる特徴がある。フィルター１２が体液溜め室１８の上に位置しているため、吸入管２２から出る体液がフィルター１２に直接当たることは少ないので遮蔽部材２６は省かれている。
すでに説明したように、吸入管２２がフィルター１２を貫通して設けられれば、吸入管２２から飛び出す体液がフィルター１２に直接当たって目詰まりさせることを防止できる効果がある。しかしながら、体液溜め室１８の上方にフィルター１２があるように限定された用い方をされるフィルターユニット１０では、重力に逆らって体液が上方に飛びにくいので、必ずしも、吸入管２２をフィルター１２に貫通して設ける必要がない。
また、すでに説明したように、遮蔽部材２６が設けられれば、フィルターユニット１０をどの方向に傾けて使用しても、雌ケース部材１３を伝わる体液の流れが遮られて、フィルター１２が目詰まりしにくくなる。しかしながら、体液溜め室１８の上方にフィルター１２があるように限定された用い方をされるフィルターユニット１０では、体液は雄ケース部材１５の底部４０に溜まってフィルター１２に流れることがないので、必ずしも遮蔽部材２６を設ける必要がない。
図１〜図１５に示されたフィルターユニット１０の形状は略円筒状であったが、本発明のフィルターユニット１０は、円錐状や角柱状などの種々の形状とされてもよい。また、携帯時は折り畳まれていて、使用時に組み立てる構成とされても便利である。
フィルター１２の形状や構成は、図１〜図１５に示された例示に限定されない。例えば、図１６に示されるフィルター１２は、比較的粗くて嵩高のフィルター材４２と、比較的密のフィルター材４４との２層で構成されていて、フィルター材４２は主に高粘度の体液を捕捉し、フィルター材４４はその後に残った低粘度体液を捕捉しようとするものである。なお、図１６に示されるフィルター１２を、目的に応じて３層等に構成して使用しても良い。また、図１７に示されるフィルター１２は、シャーレ状に周囲が立ち上がった形状とされてるため、通気する表面積が広がって目詰まりしにくくなっている。この他、襞を付けて表面積を広げるなどの、種々の工夫を採用できる。
また、遮蔽部材２６の形状や係止方法も、上述した例に限定されない。例えば、図１５に示される遮蔽部材２６は、雌ケース部材１３に設けた段差部４６に乗せられることで位置決めされていて、脚部３２無しに、フィルター１２と所定の距離だけ離れて係止される。このため、フィルター１２の表面は、接触するものが無くて完全に開放され、フィルター機能が損なわれることがない。
あるいは、図１８に示される遮蔽部材２６は、断面がコの字形の溝が円環状に形成された形状とされていて、雌ケース部材１３の内壁に沿ってスムーズに滑り移動できるため、フィルターユニット１０の組み立て作業が容易になる特徴がある。
あるいは、図１９に示される、末広がりに形成された遮蔽部材２６は、フィルター１２と周辺部だけで接触するので、フィルター１２の有効表面積をほとんど変えないという特徴がある。
体液溜め室１８まで吸引されてきた体液が、フィルター１２を目詰まりさせないように、吸入管２２をフィルター１２に貫通させたり、遮蔽部材２６を設けたりする工夫を行ってきた。目詰まりをさらに防ぐ工夫として、吸液部材を体液溜め室１８内に設けることもできる。図２０に示されるフィルターユニット１０では、吸液部材４８が雌ケース部材１３の内壁に沿って設けられており、体液から水分を吸収して粘度を高め、流動性を減じて体液がフィルター１２へ移動しないようにされている。吸液部材４８には、高分子吸水体やフェルトなどが用いられる。
フィルター１２の材質は特に限定されず、換気口や集塵機、掃除機などに通常用いられる、紙、布、不織布等々からなるエアーフィルター材が好ましく用いられる。中でも、不織布からなるエアーフィルター材は、嵩高なので目詰まりしにくく、成形性に優れているので最適の形状に加工することができ、比較的安価なので特に好ましく用いられる。ポリエステル繊維、ポリプロピン繊維、ポリアクリル繊維などの有機繊維で構成された不織布が用いられれば、使用後は環境を汚染することなく焼却処分できる。また、消毒・殺菌機能、消臭機能、脱臭機能などが付与されたフィルター１２とされてもい。あるいは、体液成分で色や形が変化するフィルター１２とされてもよい。しかしながら、フィルター１２であらゆる種類の細菌やウィルスを１００パーセント捕捉することは困難であり、フィルターユニット１０を口で吸引して使用する場合などには、専門医師の十分な指導を受けることが望まれる。
雌ケース部材１３や雄ケース部材１５や遮蔽部材２６などの材質は、ポリプロピレン、ＡＢＳ樹脂、ポリカーボネート等々のプラスチックが好ましく用いられる。軽量で成形性に優れ、低コストであり、透明性に優れているのでフィルターユニット１０内の体液を良く観察できるし、フィルター１２共々焼却処分できて、焼却熱を回収使用することもできる。また、消毒・殺菌機能、消臭機能、脱臭機能などを備えた材料を用いても、あるいは、こういう材料が付加されてもよい。
本発明に係わる体液吸引器は、上述したフィルターユニット１０を含み、少なくとも吸入チューブ２０が吸入口１４に連結されたものである。図２１に例示される体液吸引器３４は、図１２に示されるフィルターユニット１０の吸入口１４に吸入チューブ２０が連結され、その吸入チューブ２０の先端に、吸入先端部材３６が連結された構成とされている。吸入チューブ２０は、シリコンゴムや軟質のポリオレフィン系樹脂からなり、柔軟性に優れて容易に屈曲するものである。
本例の体液吸引器３４は次のようにして使用される。すなわち、施術者は片手でフィルターユニット１０を握って保持し、もう一方の片手で吸入チューブ２０の先端近くを摘んで、咽喉部などの体液摘出箇所に吸入先端部材３６を当てる。そして、吸引口１６を口にくわえて吸い込むことにより、痰などの体液を吸引・除去するのである。あるいは、次のようにしても使用できる。すなわち、吸引口１６を口にくわえることによりフィルターユニット１０を保持し、フリーになった両手で、吸入チューブ２０を集中的に操作する。あるいはまた、吸引チューブなどを介して、吸引口１６と、真空ポンプなどの吸引源２４とをつないで使用することもできる。真空ポンプなどの吸引源２４を用いる場合には、吸引口１６と吸引源２４との間に、何らかの真空度調整手段が設けられるのが好ましい。
本発明の体液吸引器３４は、小型で軽量のフィルターユニット１０が用いられてるため携帯し易く、特に、口で吸い込む方式とされれば、真空ポンプなどの吸引源２４を必要としないので、一般家庭や中小の医療施設で用いるのに大変便利である。さらに、口でくわえられる形状の吸引口１６とされれば、口でフィルターユニット１０を保持し、自由となった両手で、吸入チューブ２０の操作や患者の手助けができるので、格別に便利になる。
また、本発明の体液吸引器３４によれば、痰などの体液がフィルター１２によって確実に取り除かれるので、口で吸引しても、口の中に体液が入り込むことがなく、従来の、衛生上あるいは精神上の問題が解消される。また、使用後の体液吸引器３４は、そのまま廃棄されるので、洗浄や消毒の面倒な作業が不要になる。また、廃棄される体液吸引器３４は丸ごと焼却できて、その燃焼熱を有効利用することもできる。フィルターユニット１０、吸入チューブ２０、吸入先端部材３６などの材質をポリオレフィン系樹脂とすれば、焼却しても有毒ガスはほとんど発生しない。
吸入先端部材３６の役割は、吸入チューブ２０の先端が、口腔内面などに触って塞がれて吸着してしまい、離れなくなることを防止することにある。図２２は、吸入先端部材３６の一例を示している。吸入先端部材３６の先端には、先端面と側面とを切り欠く溝５０が６箇所に設けられていて、先端面が塞がれても、側面から空気が吸引される構造とされている。すなわち、吸入先端部材３６は空気導入機構を備えている。このため、例えば、痰の取り出し作業中に、吸入先端部材３６が口腔内面などに接触して塞がれても、溝を通って側面から空気が吸引されることになって、吸入チューブ２０内の搬送空気の流量は低下せず、先端が真空吸着固定することなく、快適に吸引できる。鼻汁などを吸入する場合などでは、鼻孔に合わせた形状の吸入先端部材３６が使用されるのが好ましい。しかしながら、吸入チューブ２０の先端が塞がれることが少ない使用方法では、必ずしも吸入先端部材３６は必要とされない。
なお、図１２に示す体液フィルターユニット１０は図２３に示すような形態で横向きの姿勢で使用することが望ましく、図２０に示す体液フィルターユニット１０は図２４に示すような形態で横向きの姿勢で使用することが望ましく、図２１に示す体液フィルターユニット１０は図２５に示すような形態で横向きの姿勢で使用することが望ましい。また、図１３、図１４及び図１５に示す体液フィルターユニット１０を横向きの姿勢で使用することも可能である。
以上、本発明に係わる使い捨ての体液フィルターユニット及び体液吸引器について詳細に説明してきたが、本発明は上述の引用例示に限定されず、フィルターユニットやフィルターの形状や材質や構成、体液吸引器の構成などにつき、その趣旨を逸脱しない範囲内で種々なる改良、修正、変化を加えた態様で実施し得るものである。
産業上の利用可能性
本発明に係わる使い捨ての体液フィルターユニットによれば、吸入されて取り出された痰などの体液が、フィルターと遮蔽部材によって捕捉されるので、口などの吸引源には汚れた空気が流れない。また、フィルターユニットを傾けても転倒させても、フィルター機能は変化しないので手軽に取り扱える。
また、本発明に係わる体液フィルターユニットは使い捨てされるので、洗浄や消毒などの面倒な作業が省かれる。
さらに、このような体液フィルターユニットにおいて、吸入口から体液溜め室に空気を導く吸入管が、フィルターを貫通して設けられれば、吸入管から飛び出す体液がフィルターに直接当たって目詰まりさせることが防止される。
さらにまた、このような体液フィルターユニットにおいて、吸入口と吸引口とがフィルターを挟む両側に設けられれば、施術者は吸引口を口に挟み、口腔内などを上から覗きながら、下方にある吸入口に接続された吸入チューブを操作できるので、操作性が格別に良好となる。また、吸入口を咽喉などの施術場所に近づけられるようになるので、吸入チューブを短くすることができ、痰などをフィルターユニットまで素早く吸い上て、施術時間を短縮できるようになる。このため、痰などが詰まった病人の負担も、施術者の負担も共に軽減される。
またさらに、このような体液フィルターユニットにおいて、体液溜め室の内壁に沿った形状の体液遮蔽部を周辺に備え、通気部を略中央部に備えた遮蔽部材が、体液溜め室とフィルターとの間に設けられれば、ケース内壁を伝わる体液の流れが遮られて、フィルターが目詰まりしにくくなる。
また、体液を吸入するための吸入チューブと連結される吸入口と、この吸入口から吸入した体液を溜める体液溜め室と、体液溜め室内の空気又は体液が通過するフィルターと、吸引源とつながる吸引口と、を含む体液フィルターユニットであって、体液溜め室の一端側に吸入口が位置し、一端側に対して反対側の他端側に吸引口が位置し、体液溜め室と吸引口との間にフィルターが位置する本発明の体液フィルターユニットによれば、吸引管からの吸引力が所定の室を介してフィルターに負荷される体液フィルターユニットと異なり、吸引管からの吸引力が直接的にフィルターに負荷されるため、空気とフィルターとの流体摩擦に抗して、効率的に空気をフィルターに通すことができる。このため、吸引管からの吸引力が所定の室を介してフィルターに負荷される体液フィルターユニットに比べて、少ない吸引力でも空気を吸引することができ、吸引源の電力コストを低減できる。また、吸引源をコンパクトに構成できる。
さらに、体液溜め室からフィルターを介して吸引口に空気を導く吸引管が設けられ、体液溜め室内へ吸引管が突出する本発明の体液フィルターユニットによれば、体液フィルターユニットをいかなる姿勢にして使用しても、体液溜め室内に溜まった体液が多過ぎない限り、吸引管内へ体液が入り込むことはない。特に、フィルターから体液溜め室の中央部付近に向かって吸引管が突出し、吸引管の突出方向先端が体液溜め室の中央部付近に位置する本発明の体液フィルターユニットによれば、体液溜め室内に溜まる体液の容積が体液溜め室の容積の略１／２以上に達しない限り、吸引管内へ体液が入り込むことはない。このため、吸引源に体液が入り込んで吸引源が故障することを防止できる。また、吸引口に接続した吸引チューブから口で吸引することも可能となる。
さらに、かかるフィルターユニットにおいて、吸入口から体液溜め室に体液を導く吸入管が設けられた本発明の体液フィルターユニットによれば、フィルターユニットへ送られた体液を確実に体液溜め室内へ導いて、体液が逆流することを防止できる。このため、効率的に体液を吸引できる。特に、体液溜め室内へ吸入管が突出する本発明のフィルターユニットによれば、フィルターユニットをいかなる姿勢で使用しても、体液溜め室内に溜まる体液が多過ぎない限り、体液が吸入管の突出方向先端に接触することはなく、体液が吸入管へ逆流することをより確実に防止できる。特に、吸入管の突出方向先端に逆流防止弁が設けられた本発明のフィルターユニットによれば、仮に体液が吸入管の突出方向先端に接触したとしても体液が吸入管へ逆流することはない。
さらに、かかるフィルターユニットにおいて、少なくとも前記体液溜め室を手で握って覆い隠すことができる大きさである本発明の体液フィルターユニットによれば、体液溜め室内の体液が外から見えることなく、患者自身や介護人に不快感を与えることがない。
また、本発明に係わる使い捨ての体液吸引器によれば、小型で軽量のフィルターユニットが用いられてるため携帯し易く、特に、口で吸い込む方式とされれば、真空ポンプなどの吸引源を必要としないので、真空ポンプなどの吸引源を常備しない一般家庭や派遣介護者が応急的に用いるのに大変便利である。また、口でくわえられる形状の吸引口とされれば、口でフィルターユニットを保持し、自由となった両手で、吸入チューブの操作や患者の手助けができるので、格別に便利になる。
また、本発明の体液吸引器によれば、痰などの体液がフィルターユニットによって確実に取り除かれるので、口で吸引しても、口の中に体液が入り込むことがなく、従来の、衛生上あるいは精神上の問題が解消される。また、使用後の体液吸引器は、そのまま廃棄されるので、洗浄や消毒の面倒な作業が不要になる。また、廃棄される体液吸引器は丸ごと焼却できて、塩化ビニル系の樹脂が使用されてなければダイオキシンなどの有害成分の発生が少なく、その焼却熱を熱リサイクルすることもできる。
さらに、吸入チューブの先端に、空気導入機構を備えた吸入先端部材が連結されれば、吸入チューブの先端が、口腔内面などに吸着してしまい離れなくなることが防止され、施術の作業性が向上する。
本発明の体液吸引器は、上述した種々の効果を発揮して、痰や鼻汁等の体液の除去に主に使用されるが、吸引体液の検査までの、移し替えが不要の保存容器として使用されたり、外耳関連病の清掃などにも使用できる。
また、外箱が、湾曲しつつ端部まで延びる係合部を有し、係合部を棒状部材に係合して吊るすことができる本発明の吸引源によれば、ベッドのフェンスに吸引源を固定して吸引作業を行うことができる。このため、病室のスペースを有効に活用することができる。
さらに、外箱が、湾曲しつつ端部まで延びる載置部を有し、略円筒形状の体液フィルターユニットを横たえて載置部に収納する本発明の吸引源によれば、吸引源に体液フィルターユニットを固定して吸引作業を行うことができる。このため、病室のスペースを有効に活用することができる。
さらに、吸引した流体を体液と空気とに分離する液溜め器具を含む本発明の吸引源によれば、仮に体液が吸引源に入り込んだとしても、空気のみを吸引源内のポンプへ送ることができ、ポンプが故障することがなくなる。
【図面の簡単な説明】
【図１】
本発明に係るフィルターユニットの一例を示す正面断面図である。
【図２】
図１に示すフィルターユニット及び本発明に係る吸引源を示す斜視図である。
【図３】
図１に示すフィルターユニット及び本発明に係る吸引源を示す配管図である。
【図４】
図２に示す吸引源の他の使用状態を示す斜視図である。
【図５】
図２に示す吸引源の更に他の使用状態を示す斜視図である。
【図６】
図１に示すフィルターユニットの除菌フィルターを示す正面断面図である。
【図７】
図１に示すフィルターユニットの他の使用状態を示す斜視図である。
【図８】
図１に示すフィルターユニットの更に他の使用状態を示す斜視図である。
【図９】
本発明に係るフィルターユニットの他の一例を示す正面断面図である。
【図１０】
本発明に係る吸引源の他の一例を示す正面断面図である。
【図１１】
図１０に示す吸引源の使用状態を説明するための配管図である。
【図１２】
本発明に係るフィルターユニットの他の一例を示す正面断面図である。
【図１３】
本発明に係るフィルターユニットの他の一例を示す正面断面図である。
【図１４】
本発明に係るフィルターユニットの他の一例を示す正面断面図である。
【図１５】
本発明に係るフィルターユニットの他の一例を示す正面断面図である。
【図１６】
本発明に係り、フィルターを例示する正面断面図であり、同図（ａ）は２層構造、同図（ｂ）はシャーレ形状の例である。
【図１７】
本発明に係り、遮蔽部材の一例を示す正面断面図である。
【図１８】
本発明に係り、遮蔽部材の他の一例を示す正面断面図である。
【図１９】
本発明に係り、遮蔽部材の他の一例を示す正面断面図である。
【図２０】
本発明に係るフィルターユニットの他の一例を示す正面断面図である。
【図２１】
本発明に係る体液吸引器の一例を示す正面断面図である。
【図２２】
本発明に係り、吸入先端部材の一例を示し、同図（ａ）は正面図、同図（ｂ）は底面図、同図（ｃ）は同図（ｂ）におけるＡ−Ａ断面図である。
【図２３】
図１２のフィルターユニットの使用状態を示す正面断面図である。
【図２４】
図２０のフィルターユニットの使用状態を示す正面断面図である。
【図２５】
図２１のフィルターユニットの使用状態を示す正面断面図である。
【図１】
2001036020.tif 000003
【図２】
2001036020.tif 000004
【図３】
2001036020.tif 000005
【図４】
2001036020.tif 000006
【図５】
2001036020.tif 000007
【図６】
2001036020.tif 000008
【図７】
2001036020.tif 000009
【図８】
2001036020.tif 000010
【図９】
2001036020.tif 000011
【図１０】
2001036020.tif 000012
【図１１】
2001036020.tif 000013
【図１２】
2001036020.tif 000014
【図１３】
2001036020.tif 000015
【図１４】
2001036020.tif 000016
【図１５】
2001036020.tif 000017
【図１６】
2001036020.tif 000018
【図１７】
2001036020.tif 000019
【図１８】
2001036020.tif 000020
【図１９】
2001036020.tif 000021
【図２０】
2001036020.tif 000022
【図２１】
2001036020.tif 000023
【図２２】
2001036020.tif 000024
【図２３】
2001036020.tif 000025
【図２４】
2001036020.tif 000026
【図２５】
2001036020.tif 000027
【国際調査報告】
2001036020.tif 000028
2001036020.tif 000029
2001036020.tif 000030
2001036020.tif 000031